(57)【要約】【課題】サーバ装置に画像データを送信するための送信時間およびサーバ装置に記憶する画像データのデータ量を低減し、ユーザの利便性を向上する。【解決手段】被写体を撮像する撮像装置１００と、撮像装置１００からの画像データを受信するサーバ装置１０２と、通信ネットワーク１０３を介してサーバ装置１０２にアクセスする複数の端末装置１０４と、を具備し、撮像装置１００は、撮像部１１０で生成された第１画像データよりもデータ量が少ない第２画像データを生成する第２画像データ生成手段を有し、サーバ装置１０２は、異なるＵＲＬに対応する複数の記憶領域１２４を有し、撮像装置１００から受信した第２画像データを何れかの記憶領域１２４に記憶する。【選択図】  図１
2004341586.tif 000002
【特許請求の範囲】
【請求項１】
被写体を撮像する撮像装置と、前記撮像装置からの画像データを受信するサーバ装置と、通信ネットワークを介して前記サーバ装置にアクセスする複数の端末装置と、を具備し、
前記撮像装置は、
被写体の第１画像データを記憶する撮像装置記憶手段と、
前記被写体を撮像し、前記第１画像データを前記撮像装置記憶手段に格納する撮像手段と、
前記第１画像データよりもデータ量が少ない、前記被写体の第２画像データを生成する第２画像データ生成手段と、
前記第２画像データを前記サーバ装置に送信する撮像装置送信手段と、
を具備し、
前記サーバ装置は、
異なるＵＲＬに対応する複数の記憶領域を有し、受信した前記第２画像データを何れかの前記記憶領域に記憶するサーバ記憶手段と、
前記撮像装置からの前記第２画像データを受信するサーバ受信手段と、
前記サーバ受信手段が受信した前記第２画像データを、撮像時、送信時または受信時に応じた前記記憶領域に格納するサーバ格納手段と、
前記端末装置からのアクセスに応じて、前記記憶された第２画像データを前記端末装置に送信するサーバ送信手段と、
を具備することを特徴とする画像データ通信システム。
【請求項２】
被写体を撮像する撮像装置と、前記撮像装置からの画像データを受信するサーバ装置と、通信ネットワークを介して前記サーバ装置にアクセスする複数の端末装置と、を具備し、
前記撮像装置は、
被写体の第１画像データを記憶する撮像装置記憶手段と、
前記被写体を撮像し、前記第１画像データを前記撮像装置記憶手段に格納する撮像手段と、
前記第１画像データよりもデータ量が少ない、前記被写体の第２画像データを生成する第２画像データ生成手段と、
撮像時または送信時を示すデータを取得する時取得手段と、
撮像時または送信時に応じたアドレスに前記第２画像データを送信する撮像装置送信手段と、
を具備し、
前記サーバ装置は、
異なる前記アドレスに対応する複数の記憶領域を有し、受信した前記第２画像データを何れかの前記記憶領域に記憶するサーバ記憶手段と、
前記撮像装置からの前記第２画像データを受信するサーバ受信手段と、
前記第２画像データを受信アドレスに応じた前記記憶領域に格納するサーバ格納手段と、
前記端末装置からのアクセスに応じて、前記記憶された第２画像データを前記端末装置に送信するサーバ送信手段と、
を具備することを特徴とする画像データ通信システム。
【請求項３】
被写体を撮像する撮像装置と、前記撮像装置からの画像データを受信するサーバ装置と、通信ネットワークを介して前記サーバ装置にアクセスする複数の端末装置と、を具備し、
前記撮像装置は、
被写体の１００万画素以上の第１画像データを記憶する撮像装置記憶手段と、
前記被写体を撮像し、前記第１画像データを前記撮像装置記憶手段に格納する撮像手段と、
前記第１画像データに基づいて前記被写体の６４０×４８０画素以下の第２画像データを生成する第２画像データ生成手段と、
前記第２画像データを前記サーバ装置に送信する撮像装置送信手段と、
を具備し、
前記サーバ装置は、
受信した前記第２画像データを記憶するサーバ記憶手段と、
前記撮像装置からの前記第２画像データを受信するサーバ受信手段と、
前記サーバ受信手段が受信した前記第２画像データを前記サーバ記憶手段に格納するサーバ格納手段と、
前記端末装置からのアクセスに応じて、前記記憶された第２画像データを前記端末装置に送信するサーバ送信手段と、
を具備することを特徴とする画像データ通信システム。
【請求項４】
被写体を撮像する撮像装置と、前記撮像装置からの画像データを受信するサーバ装置と、通信ネットワークを介して前記サーバ装置にアクセスする複数の端末装置と、を具備し、
前記撮像装置は、
被写体の第１画像データを記憶する撮像装置記憶手段と、
前記被写体を撮像し、前記第１画像データを前記撮像装置記憶手段に格納する撮像手段と、
前記第１画像データの一部を取り出した第２画像データを生成する第２画像データ生成手段と、
前記第２画像データを前記サーバ装置に送信する撮像装置送信手段と、
を具備し、
前記サーバ装置は、
受信した前記第２画像データを記憶するサーバ記憶手段と、
前記撮像装置からの前記第２画像データを受信するサーバ受信手段と、
前記サーバ受信手段が受信した前記第２画像データを前記サーバ記憶手段に格納するサーバ受信手段と、
前記端末装置からのアクセスに応じて、前記記憶された第２画像データを前記端末装置に送信するサーバ送信手段と、
を具備することを特徴とする画像データ通信システム。
【請求項５】
被写体を撮像する撮像装置と、前記撮像装置からの画像データを受信するサーバ装置と、通信ネットワークを介して前記サーバ装置にアクセスする複数の端末装置と、を具備し、
前記撮像装置は、
被写体の第１画像データを記憶する撮像装置記憶手段と、
ユーザが操作する撮像釦と、
前記撮像釦が一度押される毎に、前記被写体を撮像し、前記第１画像データを前記撮像装置記憶手段に格納する撮像手段と、
前記撮像釦が一度押される毎に、前記第１画像データよりもデータ量が少ない、前記被写体の第２画像データを生成する第２画像データ生成手段と、
前記撮像釦が一度押される毎に前記第２画像データを前記サーバ装置に送信する撮像装置送信手段と、
を具備し、
前記サーバ装置は、
受信した前記第２画像データを記憶するサーバ記憶手段と、
前記撮像装置からの前記第２画像データを受信するサーバ受信手段と、
前記サーバ受信手段が受信した前記第２画像データを前記サーバ記憶手段に格納するサーバ格納手段と、
前記端末装置からのアクセスに応じて、前記記憶された第２画像データを前記端末装置に送信するサーバ送信手段と、
を具備することを特徴とする画像データ通信システム。
【請求項６】
被写体の第１画像データを記憶する撮像装置記憶手段と、
前記被写体を撮像し、前記第１画像データを前記撮像装置記憶手段に格納する撮像手段と、
前記第１画像データよりもデータ量が少ない、前記被写体の第２画像データを生成する第２画像データ生成手段と、
通信ネットワーク上の端末装置に提供される画像データを受信するサーバ装置に前記第２画像データを送信する送信手段と、
を具備することを特徴とする撮像装置。
【請求項７】
被写体の第１画像データを記憶する撮像装置記憶手段と、
前記被写体を撮像し、前記第１画像データを前記撮像装置記憶手段に格納する撮像手段と、
前記第１画像データよりもデータ量が少ない、前記被写体の第２画像データを生成する第２画像データ生成手段と、
撮像時または送信時を示すデータを取得する時取得手段と、
通信ネットワーク上の端末装置に提供される画像データを受信するアドレスに前記第２画像データを送信する送信手段と、
を具備し、
前記送信手段は、撮像時または送信時に応じた前記アドレスに前記第２画像データを送信することを特徴とする撮像装置。
【請求項８】
前記第１画像データは、前記被写体の１００万画素以上の画像データであり、前記第２画像データは、前記被写体の６４０×４８０画素以下の画像データを含むことを特徴とする請求項６または７に記載の撮像装置。
【請求項９】
前記第２画像データは、前記第１画像データの一部を取り出した画像データを含むことを特徴とする請求項６、７または８に記載の撮像装置。
【請求項１０】
ユーザが操作する撮像釦を具備し、
前記撮像手段は、前記撮像釦が一度押される毎に、前記被写体を撮像し、前記第１画像データを前記撮像装置記憶手段に格納し、
前記第２画像データ生成手段は、前記撮像釦が一度押される毎に、前記第２画像データを生成し、
前記送信手段は、前記撮像釦が一度押される毎に、前記第２画像データを送信することを特徴とする請求項６〜９の何れか１つに記載の撮像装置。
【請求項１１】
前記第２画像データは、前記第１画像データの一部を取り出した画像データと前記第１画像データの画質を粗くした画像データとを含むことを特徴とする請求項６〜１０の何れか１つに記載の撮像装置。
【請求項１２】
前記第２画像データは、前記第１画像データの画質を粗くし、その画像を複数の部分に分ける分割線を付加した画像データを含むことを特徴とする請求項６〜１１の何れか１つに記載の撮像装置。
【請求項１３】
前記各第１画像データと前記各第２画像データとの対応を示すための画像識別子を生成する画像識別子生成手段を具備し、
前記撮像手段は、前記第１画像データとともに前記画像識別子を前記撮像装置記憶手段に格納し、
前記送信手段は、前記第２画像データとともに前記画像識別子を送信することを特徴とする請求項６〜１２の何れか１つに記載の撮像装置。
【請求項１４】
前記画像識別子と前記第１画像データの所定の部分を特定する部分特定情報とを含む送信要求を受信する撮像装置受信手段と、
前記送信要求に含まれる前記画像識別子および前記部分特定情報に基づいて、前記第１画像データの一部を取り出した第３画像データを生成する第３画像データ生成手段と、
前記第３画像データ生成手段が生成した前記第３画像データを送信する第３画像データ送信手段と、
を具備することを特徴とする請求項１３に記載の撮像装置。
【請求項１５】
前記撮像装置記憶手段から前記第１画像データを削除する第１画像データ削除手段と、
前記第２画像データを受信するサーバ装置に、前記削除された第１画像データを示す画像識別子を送信する削除情報送信手段と、
を具備することを特徴とする請求項６〜１４の何れか１つに記載の撮像装置。
【請求項１６】
被写体を撮像する撮像装置からの画像データを受信し、受信した画像データを、通信ネットワークを介して複数の端末装置に提供するサーバ装置であって、
前記撮像装置に記憶された被写体の第１画像データよりもデータ量が少ない第２画像データを受信するサーバ受信手段と、
異なるＵＲＬに対応する複数の記憶領域を有し、前記受信された第２画像データを何れかの前記記憶領域に記憶するサーバ記憶手段と、
前記端末装置からのアクセスに応じて、前記記憶された第２画像データを前記端末装置に送信するサーバ送信手段と、
前記サーバ受信手段が受信した前記第２画像データを、撮像時、送信時または受信時に応じた前記記憶領域に格納するサーバ格納手段と、
を具備することを特徴とするサーバ装置。
【請求項１７】
被写体を撮像する撮像装置からの画像データを受信し、受信した画像データを、通信ネットワークを介して複数の端末装置に提供するサーバ装置であって、
前記撮像装置に記憶された被写体の第１画像データよりもデータ量が少ない第２画像データを受信するサーバ受信手段と、
前記第２画像データ受信用の異なるアドレスに対応する複数の記憶領域を有し、前記受信された第２画像データを何れかの前記記憶領域に記憶するサーバ記憶手段と、
前記端末装置からのアクセスに応じて、前記記憶された第２画像データを前記端末装置に送信するサーバ送信手段と、
前記サーバ受信手段が受信した前記第２画像データを、受信アドレスに応じた前記記憶領域に格納するサーバ格納手段と、
を具備し、
前記アドレスは、撮像時，送信時または受信時に対応して複数設けられることを特徴とするサーバ装置。
【請求項１８】
前記第１画像データは、前記被写体の１００万画素以上の画像データであり、前記第２画像データは、前記被写体の６４０×４８０画素以下の画像データを含むことを特徴とする請求項１６または１７に記載のサーバ装置。
【請求項１９】
前記第２画像データは、前記第１画像データの一部を取り出した画像データを含むことを特徴とする請求項１６、１７または１８に記載のサーバ装置。
【請求項２０】
前記第２画像データは、前記第１画像データの一部を取り出した画像データと前記第１画像データの画質を粗くした画像データとを含むことを特徴とする請求項１６〜１９の何れか１つに記載のサーバ装置。
【請求項２１】
前記第２画像データは、前記第１画像データの画質を粗くし、その画像を複数の部分に分ける分割線を付加した画像データを含むことを特徴とする請求項１６〜２０の何れか１つに記載のサーバ装置。
【請求項２２】
前記サーバ受信手段は、前記第２画像データとともに、前記各第１画像データと前記各第２画像データとの対応を示すための画像識別子を受信し、
前記サーバ格納手段は、前記第２画像データとともに前記画像識別子を前記サーバ記憶手段に格納することを特徴とする請求項１６〜２１の何れか１つに記載のサーバ装置。
【請求項２３】
前記端末装置からの要求に基づいて、前記画像識別子と前記第１画像データの所定の部分を特定する部分特定情報とを含む送信要求を前記撮像装置に送信する要求送信手段を具備することを特徴とする請求項２２に記載のサーバ装置。
【請求項２４】
前記サーバ格納手段は、所定期間が経過した前記第２画像データを記憶している前記記憶領域に、前記受信した第２画像データを上書きで格納することを特徴とする請求項１６〜２３の何れか１つに記載のサーバ装置。
【請求項２５】
所定期間が経過した前記第２画像データを前記記憶領域単位で削除する第２画像データ削除手段を具備することを特徴とする請求項１６〜２３の何れか１つに記載のサーバ装置。
【請求項２６】
前記端末装置を用いて前記第２画像データにアクセスしたユーザのユーザ識別子を取得するユーザ識別子取得手段と、
前記ユーザ識別子取得手段が取得した前記ユーザ識別子を記憶するユーザ識別子記憶手段と、
を具備することを特徴とする請求項１６〜２５の何れか１つに記載のサーバ装置。
【請求項２７】
前記端末装置を用いて前記第２画像データにアクセスしたユーザの数をカウントするユーザカウント手段と、
前記ユーザカウント手段がカウントしたユーザの数を記憶するユーザ数記憶手段と、
を具備することを特徴とする請求項１６〜２６の何れか１つに記載のサーバ装置。
【請求項２８】
被写体を撮像する撮像装置からの画像データを受信し、受信した画像データを、通信ネットワークを介して複数の端末装置に提供するサーバ装置であって、
異なるＵＲＬに対応する複数の記憶領域を有し、前記受信した画像データを何れかの前記記憶領域に記憶するサーバ記憶手段と、
前記撮像装置からの画像データを受信するサーバ受信手段と、
前記サーバ受信手段が受信した画像データを、撮像時、送信時または受信時に応じた前記記憶領域に格納するサーバ格納手段と、
前記端末装置からのアクセスに応じて、前記記憶領域のうちで前記画像データが記憶されている記憶領域のみを示す表示データを送信し、前記端末装置からの要求に応じた前記画像データを送信するサーバ送信手段と、
を具備することを特徴とするサーバ装置。
【発明の詳細な説明】
【０００１】
【発明の属する技術分野】
本発明は、被写体を撮像する撮像装置、撮像装置からの画像データを受信するサーバ装置、ならびに撮像装置、サーバ装置および複数の端末装置を備える画像データ通信システムに関する。
【０００２】
【従来の技術】
近年、カメラ付携帯電話機やディジタルカメラ等の撮像装置で撮像した画像データをサーバ装置に記憶し、サーバ装置に記憶した画像データをインターネット等の通信ネットワークで公開するシステムが提供されている。このようなシステムとしては、例えば、日本電気株式会社の「ピクチャーバンク」やヤフー株式会社の「Ｙａｈｏｏフォト」等がある。これらのシステムでは、ユーザが通信ネットワークを介してサーバ装置にアクセスし、所望の画像データを参照することができる。
【０００３】
また、従来のデータ蓄積装置として、データ量の大きい原ページの他にデータ量の小さいページを自動生成してクライアント端末に送信するものがある（例えば、特許文献１参照）。
【０００４】
また、従来のデータ転送方法として、転送速度に応じてディジタルデータを圧縮するものもある（例えば、特許文献２参照）。
【０００５】
【特許文献１】
特開平１１−２３２１８６号公報（「発明の詳細な説明」第５３段落、第１図）
【特許文献２】
特開２００２−３３００７４号公報（「発明の詳細な説明」第９２段落、第１図）
【０００６】
【発明が解決しようとする課題】
しかしながら、上述した技術によれば、第１画像データを撮像装置に残して第１画像データよりもデータ量が少ない第２画像データをサーバ装置に送信しないため、サーバ装置に画像データを送信するための送信時間が長くなり、また、サーバ装置に記憶する画像データのデータ量が大きくなるというという問題点があった。
【０００７】
また、上述した技術によれば、撮像時，送信時または受信時に応じた記憶領域に画像データを格納し、複数の記憶領域のうちで画像データが記憶されている記憶領域のみを示す表示を行わないため、ユーザの利便性が低くなるという問題点があった。
【０００８】
本発明は上記に鑑みてなされたものであって、サーバ装置に画像データを送信するための送信時間およびサーバ装置に記憶する画像データのデータ量を低減することを第１の目的とする。また、本発明は上記に鑑みてなされたものであって、ユーザの利便性を向上することを第２の目的とする。
【０００９】
【課題を解決するための手段】
上記の目的を達成するために、この発明の画像データ通信システムは、被写体を撮像する撮像装置と、前記撮像装置からの画像データを受信するサーバ装置と、通信ネットワークを介して前記サーバ装置にアクセスする複数の端末装置と、を具備し、前記撮像装置は、被写体の第１画像データを記憶する撮像装置記憶手段と、前記被写体を撮像し、前記第１画像データを前記撮像装置記憶手段に格納する撮像手段と、前記第１画像データよりもデータ量が少ない、前記被写体の第２画像データを生成する第２画像データ生成手段と、前記第２画像データを前記サーバ装置に送信する撮像装置送信手段と、を具備し、前記サーバ装置は、異なるＵＲＬに対応する複数の記憶領域を有し、受信した前記第２画像データを何れかの前記記憶領域に記憶するサーバ記憶手段と、前記撮像装置からの前記第２画像データを受信するサーバ受信手段と、前記サーバ受信手段が受信した前記第２画像データを、撮像時、送信時または受信時に応じた前記記憶領域に格納するサーバ格納手段と、前記端末装置からのアクセスに応じて、前記記憶された第２画像データを前記端末装置に送信するサーバ送信手段と、を具備することを特徴とする。これにより、第１画像データを撮像装置に残しつつ、第１画像データよりもデータ量が少ない第２画像データをサーバ装置に記憶し、記憶した第２画像データを端末装置に提供することができるため、サーバ装置に画像データを送信するための送信時間およびサーバ装置に記憶する画像データのデータ量を低減することができる。
【００１０】
【発明の実施の形態】
以下に、本発明の実施の形態を、添付の図面を参照して詳細に説明する。なお、この実施の形態によってこの発明が限定されるものではない。
【００１１】
（実施の形態１）
図１は、本発明の実施の形態１に係る画像データ通信システムの概略構成を示す図である。実施の形態１の画像データ通信システムは、撮像装置１００と、サーバ装置１０２と、複数の端末装置１０４と、を備える。撮像装置１００は、被写体を撮像する。撮像装置１００は、例えば、ディジタルスチルカメラである。撮像装置１００は、撮像した画像データをサーバ装置１０２に送信する。撮像装置１００は、例えば、ＰＨＳ網に接続する。撮像装置１００は、例えば、インターネットを介して電子メールで画像データを送信する。
【００１２】
サーバ装置１０２は、撮像装置１００からの画像データを受信して蓄積する。サーバ装置１０２は、端末装置１０４からのアクセスに応じて、蓄積した画像データを端末装置１０４に送信する。サーバ装置１０２は、通信ネットワーク１０３を介して画像データを送信する。通信ネットワーク１０３は、例えば、インターネットであり、サーバ装置１０２は、インターネットのウェブページを用いて画像データを送信する。端末装置１０４は、サーバ装置１０２にアクセスし、画像データを受信する。端末装置１０４は、例えば、ブラウザを用いてサーバ装置１０２が提供するウェブページにアクセスする。端末装置１０４は、例えば、パーソナルコンピュータ等の情報処理装置である。
【００１３】
図２は、図１に示した撮像装置１００の概略構成を示す図である。撮像装置１００は、撮像部１１０と、記憶部１１２と、第２画像データ生成部１１４と、送信部１１６と、を備える。撮像部１１０は、被写体を撮像し、第１画像データを記憶部１１２に格納する。撮像部１１０は、撮像信号に基づいて第１画像データを生成する。撮像部１１０は、第１画像データとともに撮像時刻を示すデータを記憶部１１２に格納してもよい。また、撮像部１１０は、撮像時刻を示すデータを第１画像データのファイル名として用いてもよい。
【００１４】
記憶部１１２は、被写体の第１画像データを記憶する。第２画像データ生成部１１４は、被写体の第２画像データを生成する。第２画像データは、第１画像データよりもデータ量が少ない。第２画像データ生成部１１４は、記憶部１１２に記憶された第１画像データを読み出し、その第１画像データに基づいて第２画像データを生成する。送信部１１６は、第２画像データをサーバ装置１０２に送信する。送信部１１６は、第２画像データとともに撮像時または送信時を示すデータを送信してもよい。また、送信部１１６は、撮像時または送信時を示すデータを第２画像データのファイル名として用いてもよい。ここで、撮像時とは、撮影された時を意味し、送信時とは送信された時を意味する。撮像時、送信時の単位は、特に限定されず、例えば、秒，分，時，日，月または年単位であってもよい。
【００１５】
図３は、図１に示したサーバ装置１０２の概略構成を示す図である。サーバ装置１０２は、受信部１２０と、格納部１２１と、記憶部１２２と、送信部１２６と、を備える。受信部１２０は、撮像装置１００からの第２画像データを受信する。記憶部１２２は、ハードディスク等の記憶装置を有し、その記憶装置にデータを記憶する。記憶部１２２は、異なるＵＲＬ（Ｕｎｉｖｅｒｓａｌ  Ｒｅｓｏｕｒｃｅ  Ｌｏｃａｔｏｒ）に対応する複数の記憶領域１２４を有し、受信された第２画像データを何れかの記憶領域１２４に記憶する。
【００１６】
記憶領域１２４は、撮像時、送信時または受信時に応じて複数設けられる。例えば、ある１日に撮像された画像データ用の記憶領域，次の日に撮像された画像データ用の記憶領域というように、所定期間（日ごと，所定時間ごと，月ごと等）に対応させて記憶領域１２４を設ける。また、受信時とは、受信された時を意味する。受信時の単位は、特に限定されず、例えば、秒，分，時，日，月または年単位であってもよい。
【００１７】
記憶領域１２４の数は、例えば、２つであってもよいし、３つ以上であってもよいし、３１であってもよい。また、記憶領域１２４に対応するＵＲＬは、所定期間を表す文字を含んでいてもよい。例えば、ある月の３日に対応するＵＲＬであれば、「０３」という文字がｕｒｌｐａｔｈ名に含まれるようにしてもよい。送信部１２６は、端末装置１０４からのアクセスに応じて、記憶部１２２に記憶された第２画像データを端末装置１０４に送信する。
【００１８】
格納部１２１は、受信された第２画像データを、撮像時、送信時または受信時に応じた記憶領域１２４に格納する。すなわち、サーバ装置１０２は、撮像時、送信時または受信時に応じて第２画像データの仕分けを行う。格納部１２１は、例えば、第２画像データとともに送られてくるデータに基づいて撮像時または送信時を判定する。あるいは、受信部１２０または格納部１２１は、クロック信号発生回路を備え、受信時刻を計測してもよい。
【００１９】
また、格納部１２１は、所定期間が経過した第２画像データを記憶している記憶領域１２４に、受信した第２画像データを上書きで格納してもよい。例えば、所定期間が１ヶ月とすると、格納部１２１は、４月２０日の第２画像データを記憶している記憶領域１２４に５月２０日の第２画像データを上書きで格納する。上書きを行うことによって、撮像装置１００から削除コマンドを送ることなく古い第２画像データを削除することができ、ユーザ利便性を向上させることができる。なお、所定期間が１ヶ月とすると、２，４，６，９，１１月は３１日間ないので、これらの月では、３１日等に対応する記憶領域１２４が書き換えられない。
【００２０】
図４は、図１に示した端末装置１０４の概略構成を示す図である。端末装置１０４は、通信部１３０と画像閲覧部１３２とを備える。通信部１３０は、インターネット等の通信ネットワーク１０３に接続する。画像閲覧部１３２は、表示装置，入力装置，プロセッサ，メモリおよびブラウザ等を有し、サーバ装置１０２からの第２画像データを表示する。画像閲覧部１３２は、例えば、サーバ装置１０２のウェブページにアクセスして第２画像データを表示する。
【００２１】
図５は、図１に示した撮像装置１００の概観を示す図である。撮像装置１００は、本体部１５６と、通信ユニット１４８と、を備える。通信ユニット１４８はアンテナ１５８を有する。本体部１５６は、撮像釦（シャッター釦）１４０と、フラッシュ１４２と、光学ファインダ１４４と、光学レンズ１４６と、液晶モニタ１５０と、操作キー１５２と、リムーバブルメモリスロット１５４と、を備える。なお、撮像装置１００の外形は、この例に限定されず、適宜変更してもよい。
【００２２】
図６は、図１に示した撮像装置１００のハードウェア構成を示す図である。撮像装置１００の本体部１５６は、光学レンズ１４６と、受光部１６０と、シャッタスイッチ１６２と、アナログディジタル変換器（Ａ／Ｄ変換器）１６４と、クロック信号発生回路１６６と、情報処理装置１６８と、ディジタルアナログ変換器（Ｄ／Ａ変換器）１７０と、再生スイッチ１７２と、表示部１７４と、を備える。撮像装置１００の通信ユニット１４８は、情報処理装置１８０と、無線通信部１８２と、アンテナ１５８と、を備える。
【００２３】
撮像装置１００の本体部１５６には、リムーバブルメモリ１７６が着脱自在に接続される。リムーバブルメモリ１７６は、１または複数の第１画像データを記憶する。リムーバブルメモリ１７６は、例えば、不揮発性の半導体メモリを有する。リムーバブルメモリは、例えば、スマートメディア，ＳＤカードなどのメモリカードである。第１画像データの画素数は、特に限定されない。第１画像データの画素数は、例えば、１００万画素以上である。第１画像データは、２００万画素以上または４００万画素以上の画像データであってもよい。受光部１６０は、光学レンズ１４６を通過した光を検出し、検出信号を出力する。受光部１６０は、例えば、ＣＣＤ（電荷結合素子）などの受光素子を有する。
【００２４】
シャッタスイッチ１６２は、受光部１６０とＡ／Ｄ変換器１６４との間の信号路上に配置され、図５に示した撮像釦１４０が押されると閉じる。Ａ／Ｄ変換器１６４は、受光部１６０からのアナログ信号をディジタル信号に変換する。クロック信号発生回路１６６は、クロック信号を発生させる。クロック信号発生回路１６６は、水晶発振子を有するクロック信号発生回路を備える。情報処理装置１６８は、クロック信号発生回路１６６からのクロック信号に基づいて現在の日時を計測する。
【００２５】
また、情報処理装置１６８は、Ａ／Ｄ変換器１６４からのディジタル画像データを入力する。情報処理装置１６８は、入力したディジタル画像データのデータ圧縮を行ってもよい。データ圧縮の方法は、特に限定されない。情報処理装置１６８は、例えばＪＰＥＧ（Ｊｏｉｎｔ  Ｐｈｏｔｏｇｒａｐｈｉｃ  Ｅｘｐｅｒｔ  Ｇｒｏｕｐ）圧縮を行う。情報処理装置１６８は、圧縮した画像データをリムーバブルメモリ１７６に書き込む。また、情報処理装置１６８は、クロック信号発生回路１６６からのクロック信号に基づいて日時を計測し、撮像時を示すデータをリムーバブルメモリ１７６に書き込んでもよい。すなわち、情報処理装置１６８は、圧縮された第１画像データとともに撮像時を示すデータをリムーバブルメモリ１７６に格納してもよい。ここで、撮像時を示すデータを第１画像データのファイル名として用いてもよい。
【００２６】
また、情報処理装置１６８は、リムーバブルメモリ１７６に記憶された第１画像データを読み出す。情報処理装置１６８は、読み出した第１画像データを伸長する。情報処理装置１６８は、第１画像データに基づいてＶＧＡ（Ｖｉｄｅｏ  Ｇｒａｐｈｉｃ  Ａｒｒａｙ）画像または６４０×４８０画素の第２画像データを生成する。情報処理装置１６８は、生成した第２画像データのデータ圧縮を行ってもよい。データ圧縮の方法は、特に限定されない。情報処理装置１６８は、例えばＪＰＥＧ圧縮を行う。情報処理装置１６８は、例えば、画像データ圧縮／伸長用の半導体装置や画像処理用の半導体装置を備える。
【００２７】
Ｄ／Ａ変換器１７０は、情報処理装置１６８からのディジタル信号をアナログ信号に変換する。再生スイッチ１７２は、Ｄ／Ａ変換器１７０と表示部１７４との間の信号路上に配置され、図５に示した操作キー１５２の操作に応じて開閉する。表示部１７４は、図５に示した液晶モニタ１５０を有し、Ｄ／Ａ変換器１７０からの信号に基づいて画像を表示する。無線通信部１８２は、アンテナ１５８を用いて無線通信を行う。情報処理装置１８０は、無線通信部１８２を介してサーバ装置１０２との通信を行う。情報処理装置１８０は、例えば、インターネットにアクセスし、情報処理装置１６８が圧縮した第２画像データを電子メールで送信する。通信ユニット１４８は、本体１５６に着脱自在に接続される。
【００２８】
なお、光学レンズ１４６，受光部１６０および情報処理装置１６８は、  図２の撮像部１１０に対応し、リムーバブルメモリ１７６は、図２の記憶部１１２に対応し、情報処理装置１６８は、図２の第２画像データ生成部１１４に対応し、情報処理装置１８０は、図２の送信部１１６に対応する。
【００２９】
図７は、実施の形態１に係る第１画像データおよび第２画像データの一例を示す図である。第２画像データは、図７に示すように、第１画像データの画質を粗くしたものであってもよい。第２画像データがＶＧＡ画像または６４０×４８０画素の画像である場合は、画像を確認するのに十分な画質を有するので、端末装置１０４のユーザは、第２画像データを参照し、その第２画像データに対応する第１画像データが必要であるか否かを判断することができる。また、第２画像データは、図８に示すように、第１画像データの一部を取り出したものであってもよい。この場合、撮像装置１００のユーザは、操作キー１５２を操作し、液晶モニタ１５０に表示された画像から所望の部分を指定する。情報処理装置１６８は、第１画像データから指定された部分を取り出して第２画像データを生成する。
【００３０】
また、図９に示すように、第２画像データは、第１画像データの画質を粗くした画像データ１９０および第１画像データの一部を取り出した画像データ１９２の両方を含むものであってもよい。この場合、第１画像データの画質を粗くした画像データ１９０は、画像の中で第２画像データ１９２として取り出された部分を示す表示１９４を付加したものであってもよい。これにより、端末装置１０４のユーザは、画像全体と取り出された部分との関係を知ることができる。また、第２画像データは、図１０に示すように、第１画像データの画質を粗くし、その画像を複数の部分に分ける分割線を付加したものであってもよい。
【００３１】
図１１は、図１に示したサーバ装置１０２のハードウェア構成を示す図である。サーバ装置１０２は、ＳＭＴＰ（Ｓｉｍｐｌｅ  Ｍａｉｌ  Ｔｒａｎｓｆｅｒ  Ｐｒｏｔｏｃｏｌ）サーバ２００と、ＷＷＷ（Ｗｏｒｌｄ  Ｗｉｄｅ  Ｗｅｂ）サーバ２０４と、記憶装置２０６と、を備える。記憶装置２０６はハードディスク等を有し、データを記憶する。記憶装置２０６は、複数の記憶領域１２４を有する。ＳＭＴＰサーバ２００は、撮像装置１００からの電子メールを受信し、その電子メールに含まれる第２画像データを、撮像時、送信時または受信時に応じた記憶領域１２４に格納する。ＷＷＷサーバ２０４は、端末装置１０４からのアクセスに応じてウェブページを提供し、記憶装置２０６に記憶された第２画像データを端末装置１０４に送信する。
【００３２】
なお、ＳＭＴＰサーバ２００は、図３の受信部１２０および格納部１２１に対応し、記憶装置２０６は、図３の記憶部１２２に対応し、ＷＷＷサーバ２０４は、図３の送信部１２６に対応する。
【００３３】
図１２は、図１に示した端末装置１０４のハードウェア構成を示す図である。端末装置１０４は、ネットワークインターフェース２１０と、情報処理装置２１２と、表示装置２１４と、入力装置２１６と、を備える。ネットワークインターフェース２１０は、通信ネットワーク１０３に接続する。入力装置２１６は、ユーザが入力のために用いる装置である。入力装置２１６は、例えば、キーボード，マウス，入力釦等である。情報処理装置２１２は、ブラウザ２１８を有し、入力装置２１６からのユーザ入力に応じてウェブページにアクセスする。表示装置２１４は、情報処理装置２１２からの信号に基づいて画像を表示する。なお、ネットワークＩ／Ｆ２１０は、図４の通信部１３０に対応し、情報処理装置２１２，入力装置２１６および表示装置２１４は、図４の画像閲覧部１３２に対応する。
【００３４】
以上の構成において、実施の形態１の動作について図１３〜図２０を参照して説明する。図１３は、実施の形態１に係る撮像装置１００が撮像を行う場合の動作手順を示すフローチャートである。この動作では、まず、図２に示した撮像部１１０が被写体を撮像する（Ｓ１００）。これにより、第１画像データが生成される。第１画像データは、画像圧縮されたものであってもよい。次に、撮像部１１０は、第１画像データを記憶部１１２に格納する（Ｓ１０２）。ここで、撮像部１１０は、第１画像データとともに撮像時を示すデータを記憶部１１２に格納してもよい。また、撮像部１１０は、撮像時を示すデータを第１画像データのファイル名として用いてもよい。
【００３５】
図１４は、実施の形態１に係る撮像装置１００が第２画像データを送信する場合の動作手順を示すフローチャートである。この動作では、まず、第２画像データ生成部１１４が第２画像データを生成する（Ｓ１０４）。第２画像データ生成部１１４は、例えば、記憶部１１２に記憶された第１画像データに基づいて第２画像データを生成する。次に、送信部１１６は、生成された第２画像データをサーバ装置１０２に送信する（Ｓ１０６）。送信部１１６は、第２画像データを圧縮して送信してもよい。送信部１１６は、インターネットの電子メールで第２画像データを送信してもよい。
【００３６】
さらに詳細に撮像装置１００の動作を説明する。図１５は、実施の形態１に係る撮像装置１００が第２画像データを選択して送信する場合の動作手順を示すフローチャートである。この動作では、まず、図６に示した情報処理装置１６８が、リムーバブルメモリ１７６から第１画像データを読み出す。次に、情報処理装置１６８は、表示部１７４に第１画像データを表示させ、ユーザに所望の画像を選択させる（Ｓ１１０）。表示部１７４は、情報処理装置１６８からの制御により、例えば、図１６に示すような画像を表示する。情報処理装置１６８は、操作キー１５２からのユーザ入力に応じて送信すべき画像を選択する。情報処理装置１６８は、選択した１または複数の画像の第２画像データを生成する（Ｓ１１２）。通信ユニット１４８の情報処理装置１８０は、生成された１または複数の第２画像データを送信する（Ｓ１１４）。
【００３７】
図１７は、実施の形態１に係る第２画像データ送信の処理手順を示すフローチャートである。この第２画像データ送信処理では、まず、情報処理装置１６８で圧縮された第２画像データが本体部１５６から通信ユニット１４８に転送される（Ｓ１２０）。第２画像データを受信した通信ユニット１４８の情報処理装置１８０は、インターネットプロバイダにコールし（Ｓ１２２）、ＰＰＰ（Ｐｏｉｎｔ  ｔｏ  Ｐｏｉｎｔ  Ｐｒｏｔｏｃｏｌ）を用いてインターネットにダイアルアップ接続する（Ｓ１２４）。次に、情報処理装置１８０は、ＳＭＴＰサーバ２００宛に第２画像データを添付した電子メールを送信する（Ｓ１２６）。
【００３８】
図１８は、実施の形態１に係る撮像装置１００の他の動作手順を示すフローチャートである。この例では、図２に示した撮像部１１０は、撮像釦１４０が一度押される毎に、被写体を撮像し、第１画像データを記憶部１１２に格納する。また、第２画像データ生成部１１４は、撮像釦１４０が一度押される毎に、第２画像データを生成する。また、送信部１１６は、撮像釦１４０が一度押される毎に、第２画像データを送信する。すなわち、撮像から第２画像データ送信までの処理がワンクリックで行われる。
【００３９】
この処理では、まず、撮像釦１４０が押されるまで撮像装置１００は待機状態となる（Ｓ１３０）。撮像釦１４０が押された場合、撮像部１１０は、被写体を撮像する（Ｓ１３２）。これにより、第１画像データが生成される。第１画像データは、画像圧縮されたものであってもよい。次に、撮像部１１０は、第１画像データを記憶部１１２に格納する（Ｓ１３４）。ここで、撮像部１１０は、第１画像データとともに撮像時を示すデータを記憶部１１２に格納してもよい。また、撮像部１１０は、撮像時を示すデータを第１画像データのファイル名として用いてもよい。
【００４０】
次に、第２画像データ生成部１１４が第２画像データを生成する（Ｓ１３６）。第２画像データ生成部１１４は、記憶部１１２に記憶された第１画像データに基づいて第２画像データを生成してもよい。あるいは、記憶部１１２に記憶される前のデータに基づいて第２画像データを生成してもよい。この場合、ステップＳ１３６をステップＳ１３４の前に行ってもよい。次に、送信部１１６は、生成された第２画像データをサーバ装置１０２に送信する（Ｓ１３８）。送信部１１６は、第２画像データを圧縮して送信してもよい。送信部１１６は、インターネットの電子メールで第２画像データを送信する。
【００４１】
図１９は、実施の形態１に係るサーバ装置１０２が第２画像データを受信する場合の動作手順を示すフローチャートである。この動作では、まず、受信部１２０が撮像装置１００からの第２画像データを受信する（Ｓ１４０）。次に、格納部１２１が、受信された第２画像データを、撮像時、送信時または受信時に応じた記憶領域１２４に格納する（Ｓ１４２）。格納部１２１は、所定期間が経過した第２画像データを記憶している記憶領域１２４に、受信した第２画像データを上書きで格納してもよい。
【００４２】
図２０は、実施の形態１に係るサーバ装置１０２が端末装置１０４に第２画像データを送信する場合の動作手順を示すフローチャートである。この動作では、まず、送信部１２６が端末装置１０４からのアクセスを受ける（Ｓ１４４）。そして、端末装置１０４からのアクセスに応じて、記憶された第２画像データを端末装置１０４に送信する（Ｓ１４６）。
【００４３】
前述した様に、実施の形態１によれば、第１画像データを撮像装置１００に残しつつ、第１画像データよりもデータ量が少ない第２画像データをサーバ装置１０２に送信し、その第２画像データをサーバ装置１０２から端末装置１０４に提供することができるため、サーバ装置１０２に画像データを送信するための送信時間およびサーバ装置１０２に記憶する画像データのデータ量を低減することができ、また、撮像された画像を素早く端末装置１０４のユーザに見せることができる。ユーザがさらに詳細な画像を見たい場合は、別途、第１画像データを入手すればよい。
【００４４】
（実施の形態２）
図２１は、本発明の実施の形態２に係る撮像装置の概略構成を示す図である。なお、実施の形態１と同じ構成については、図２と同じ符号を付している。実施の形態２の撮像装置２５０は、撮像部１１０と、記憶部１１２と、第２画像データ生成部１１４と、送信部１１６と、削除部２５２と、を備える。削除部２５２は、所定期間が経過した第１画像データを削除する。所定期間の起算時点は、特に限定されず、撮像日を起算日としてもよいし、送信日を起算日としてもよい。例えば、所定期間が１ヶ月とすると、削除部２５２は、４月２０日に撮像または送信された画像の第１画像データを５月２０日に削除する。また、月末にその前の月に撮像または送信された第１画像データが全て削除されるようにしてもよい。例えば、５月３０日および５月３１日に撮像または送信された画像の第１画像データを６月３０日に削除してもよい。
【００４５】
図２２は、実施の形態２に係るサーバ装置の概略構成を示す図である。なお、実施の形態１と同じ構成については、図３と同じ符号を付している。実施の形態２のサーバ装置２６０は、受信部１２０と、格納部１２１と、記憶部１２２と、削除部２６２と、ユーザ識別子取得部２６４と、ユーザカウント部２６６と、送信部２６８と、を備える。削除部２６２は、所定期間が経過した第２画像データを記憶領域１２４単位で削除する。この所定期間の起算時点は、特に限定されず、撮像日を起算日としてもよいし、送信日を起算日としてもよいし、受信日を起算日としてもよい。
【００４６】
例えば、所定期間が１ヶ月とすると、削除部２５２は、４月２０日用の記憶領域１２４に記憶されている第２画像データを５月２０日に削除する。すなわち、削除部２５２は、４月２０日に撮像，送信または受信された画像の第２画像データを削除する。また、月末にその前の月に対応する第２画像データが全て削除されるようにしてもよい。例えば、５月３０日および５月３１日に撮像，送信または受信された画像の第２画像データを６月３０日に削除してもよい。サーバ装置２６０が第２画像データを削除する場合の所定期間と、撮像装置２５０が第１画像データを削除する場合の所定期間とは、同じ期間である。すなわち、撮像装置２５０側およびサーバ装置２６０側で、同じ画像に対応する第１画像データおよび第２画像データが同じタイミングで削除される。
【００４７】
ユーザ識別子取得部２６４は、端末装置１０４を用いて第２画像データにアクセスしたユーザのユーザ識別子を取得する。ユーザ識別子の取得方法は、特に限定されない。例えば、ユーザが端末装置１０４を介してユーザ識別子を入力し、そのユーザ識別子を端末装置１０４からサーバ装置２６０に送信してもよい。ユーザ識別子取得部２６４は、取得したユーザ識別子を記憶部１２２に格納する。ここで、ユーザ識別子取得部２６４は、ユーザ識別子を第２画像データと対応させて格納する。例えば、記憶部１２２は、ユーザ識別子と第２画像データとの対応テーブルを記憶し、ユーザ識別子取得部２６４は、その対応テーブルを更新する。これにより、どの画像にどのユーザがアクセスしたかを知ることができる。
【００４８】
ユーザカウント部２６６は、端末装置１０４を用いて第２画像データにアクセスしたユーザの数をカウントする。ユーザカウント部２６６は、カウントしたユーザ数を記憶部１２２に記録する。ここで、ユーザカウント部２６６は、ユーザ数を第２画像データと対応させて記録する。例えば、記憶部１２２は、ユーザ数と第２画像データとの対応テーブルを記憶し、ユーザカウント部２６６は、その対応テーブルを更新する。これにより、どの画像に何人アクセスしたかを知ることができる。
【００４９】
送信部２６８は、端末装置１０４からのアクセスに応じて、記憶領域１２４のうちで第２画像データが記憶されている記憶領域１２４のみを示す表示データを送信する。また、送信部２６８は、端末装置１０４からの要求に応じた第２画像データを送信する。図２３は、送信部２６８からの表示データによって端末装置１０４に表示される表示画面の一例を示す図である。この例では、各日付に対応して記憶領域１２４が設けられている。７月２１日，７月２２日，７月３１日，８月１日および８月２０日に対応する記憶領域１２４には第２画像データが格納されているので、これらの記憶領域１２４を示す表示がなされる。
【００５０】
他の日付に対応する記憶領域１２４には、第２画像データが格納されていないので、それらに対応する表示はされない。図２３に示すように各記憶領域１２４に格納された第２画像データの枚数を表示してもよい。表示された日付のうち何れかをユーザが選択すると、サーバ装置２６０の送信部２６８は、その日付に対応する記憶領域１２４から第２画像データを読み出して端末装置１０４に送信する。これにより、端末装置１０４のユーザは、容易に所望の第２画像データを閲覧することができる。なお、削除部２６２を省略してもよいし、ユーザ識別子取得部２６４を省略してもよいし、ユーザカウント部２６６を省略してもよい。また、送信部２６８に代えて実施の形態１の送信部１２６を設けてもよい。
【００５１】
図２４は、実施の形態２に係る撮像装置２５０のハードウェア構成を示す図である。なお、実施の形態１と同じ構成については、図６と同じ符号を付している。撮像装置２５０は、実施の形態１の情報処理装置１６８に代えて、所定期間が経過した第１画像データを削除する情報処理装置２７０を備える。情報処理装置２７０は、実施の形態１の情報処理装置１６８と同様の構成を有し、同様の動作を行う。情報処理装置２７０は、さらに、所定期間が経過した第１画像データを削除する。情報処理装置２７０は、図２１に示した削除部２５２を具現化する。
【００５２】
図２５は、実施の形態２に係るサーバ装置２６０のハードウェア構成を示す図である。なお、実施の形態１と同じ構成については図１１と同じ符号を付している。サーバ装置２６０は、ＳＭＴＰサーバ２７２と、ＷＷＷサーバ２７４と、記憶装置２０６と、を備える。ＳＭＴＰサーバ２７２は、実施の形態１のＳＭＴＰサーバ２００と同様の構成を有し、同様の動作を行う。ＷＷＷサーバ２７４は、実施の形態１のＷＷＷサーバ２０４と同様の構成を有し、同様の動作を行う。ＷＷＷサーバ２７４は、さらに、第２画像データにアクセスしたユーザのユーザ識別子を取得する。また、ＷＷＷサーバ２７４は、第２画像データにアクセスしたユーザの数をカウントする。また、ＳＭＴＰサーバ２７２またはＷＷＷサーバ２７４は、所定期間が経過した第２画像データを記憶領域１２４単位で削除する。
【００５３】
なお、ＷＷＷサーバ２７４は、図２２に示したユーザ識別子取得部２６４，ユーザカウント部２６６および送信部２６８に対応する。ＳＭＴＰサーバ２７２またはＷＷＷサーバ２７４は、図２２に示した削除部２６２を具現化する。実施の形態２の他の構成は、実施の形態１と同様である。
【００５４】
以上の構成において実施の形態２の動作について図２６〜図２８のフローチャートを参照して説明する。図２６は、実施の形態２に係る撮像装置２５０が第１画像データを削除する場合の動作手順を示すフローチャートである。この動作では、まず、削除部２５２が現在の日付または日付および時刻を示す情報を取得する（Ｓ２００）。次に、削除部２５２は、記憶部１１２に所定期間が経過した第１画像データが記憶されているか否かを判定する（Ｓ２０２）。所定期間が経過した第１画像データが記憶されていない場合は、ステップＳ２００に戻る。一方、所定期間が経過した第１画像データが記憶されている場合、削除部２５２は、その第１画像データを記憶部１１２から削除する（Ｓ２０４）。そして、ステップＳ２００に戻る。
【００５５】
図２７は、実施の形態２に係るサーバ装置２６０が第２画像データを削除する場合の動作手順を示すフローチャートである。この動作では、まず、削除部２６２が現在の日付または日付および時刻を示す情報を取得する（Ｓ２１０）。日付または日付および時刻の情報は、ＳＭＴＰサーバ２７２やＷＷＷサーバ２７４で生成される。次に、削除部２６２は、所定期間が経過した第２画像データが記憶領域１２４に記憶されているか否かを判定する（Ｓ２１２）。所定期間が経過した第２画像データが記憶されていない場合は、ステップＳ２１０に戻る。一方、所定期間が経過した第２画像データが記憶されている場合、削除部２６２は、その第２画像データを記憶領域１２４単位で削除する（Ｓ２１４）。そして、ステップＳ２１０に戻る。
【００５６】
図２８は、実施の形態２に係るサーバ装置２６０が端末装置１０４からのアクセスを受けた場合の動作手順を示すフローチャートである。この動作では、まず、ユーザ識別子取得部２６４および／またはユーザカウント部２６６が、第２画像データに対する端末装置１０４からのアクセスがあったか否かを判定する（Ｓ２２０）。第２画像データに対する端末装置１０４からのアクセスがあった場合、ユーザ識別子取得部２６４は、ユーザ識別子を取得し、記憶部１２２にユーザ識別子を格納する（Ｓ２２２）。次に、ユーザカウント部２６６は、記憶部１２２に記憶されたユーザ数を一つインクリメントする（Ｓ２２４）。そして、ステップＳ２２０に戻る。なお、ステップＳ２２２の前にステップＳ２２４を実行してもよい。また、ステップＳ２２２またはステップＳ２２４を省略してもよい。実施の形態２の他の動作は、実施の形態１と同様である。
【００５７】
前述した様に、実施の形態２によれば、所定期間が経過した第２画像データを削除するので、新たな第２画像データを記憶するための領域を適切に確保することができる。また、実施の形態２によれば、第２画像データと同じ周期で第１画像データを削除するので、撮像装置２５０に記憶された第１画像データとサーバ装置２６０に記憶された第２画像データとを整合させることができる。また、ユーザ識別子取得部２６４が、第２画像データにアクセスしたユーザのユーザ識別子を取得して格納するので、第２画像データにアクセスしたユーザを把握することができる。また、ユーザカウント部２６６が、第２画像データにアクセスしたユーザの数をカウントするので、第２画像データにアクセスしたユーザの数を把握することができる。
【００５８】
（実施の形態３）
図２９は、本発明の実施の形態３に係る撮像装置の概略構成を示す図である。なお、実施の形態１，２と同じ構成については、図２１と同じ符号を付している。実施の形態３の撮像装置３００は、撮像部１１０と、記憶部１１２と、第２画像データ生成部１１４と、削除部２５２と、時取得部３０２と、送信部３０４と、を備える。時取得部３０２は、撮像時または送信時を示すデータを取得する。送信部３０４は、撮像時または送信時を示すデータに応じたアドレスに第２画像データを送信する。すなわち、撮像装置１００は、撮像時または送信時に応じて第２画像データの仕分けを行う。送信先のアドレスは、例えば、インターネットのメールアドレスである。
【００５９】
図３０は、実施の形態３に係るサーバ装置の概略構成を示す図である。なお、実施の形態１，２と同じ構成については、図２２と同じ符号を付している。実施の形態３のサーバ装置３１０は、受信部１２０と、格納部３１２と、記憶部１２２と、削除部２６２と、ユーザ識別子取得部２６４と、ユーザカウント部２６６と、送信部２６８と、を備える。格納部３１２は、受信部１２０が受信した第２画像データを、その第２画像データの受信アドレス（宛先アドレス）に応じた記憶領域１２４に格納する。各記憶領域１２４は、それぞれ異なるアドレスに対応する。
【００６０】
図３１は、実施の形態３に係る撮像装置３００のハードウェア構成を示す図である。なお、実施の形態１，２と同じ構成については、図２４と同じ符号を付している。撮像装置３００は、実施の形態２の情報処理装置１８０に代えて、撮像時または送信時に応じたアドレスに第２画像データを送信する情報処理装置３２０を備える。情報処理装置３２０は、実施の形態２の情報処理装置１８０と同様の構成を有し、同様の動作を行う。情報処理装置３２０は、さらに、撮像時または送信時を示す情報を取得し、取得した撮像時または送信時に応じたアドレスに第２画像データを送信する。なお、情報処理装置３２０は、図２９に示した時取得部３０２および送信部３０４に対応する。
【００６１】
図３２は、実施の形態３に係るサーバ装置３１０のハードウェア構成を示す図である。なお、実施の形態１，２と同じ構成については図２５と同じ符号を付している。サーバ装置３１０は、ＳＭＴＰサーバ３３０と、ＷＷＷサーバ２７４と、記憶装置２０６と、を備える。ＳＭＴＰサーバ３３０は、実施の形態２のＳＭＴＰサーバ２７２と同様の構成を有し、同様の動作を行う。ＳＭＴＰサーバ３３０は、さらに、受信した第２画像データを、その第２画像データの受信アドレスに応じた記憶領域１２４に格納する。なお、ＳＭＴＰサーバ３３０は、図３０に示した格納部３１２を具現化する。実施の形態３の他の構成は、実施の形態１，２と同様である。
【００６２】
以上の構成において実施の形態３の動作について図３３，図３４のフローチャートを参照して説明する。図３３は、実施の形態３に係る撮像装置３００の動作手順を示すフローチャートである。なお、実施の形態１，２と同じ動作については、図１４と同じ符号を付している。この動作では、ステップＳ１０４のあと、時取得部３０２が、撮像時または送信時を示すデータを取得する（Ｓ２５２）。
【００６３】
時取得部３０２は、記憶部１１２に記憶された撮像時を示すデータを取得してもよいし、送信時に現在の時を取得することによって送信時を示すデータを取得してもよい。現在の時とは、例えば、秒，分，時，日，月または年単位であってもよい。次に、送信部３０４は、時取得部３０２が取得した撮像時または送信時に対応するアドレスに第２画像データを送信する（Ｓ２５４）。送信部３０４は、第２画像データを圧縮して送信してもよい。送信部３０４は、インターネットの電子メールで第２画像データを送信してもよい。なお、ステップＳ１０４の前にステップＳ２５２を行ってもよい。
【００６４】
図３４は、実施の形態３に係るサーバ装置３１０の動作手順を示すフローチャートである。この動作では、まず、受信部１２０が、各アドレス宛の第２画像データを受信する（Ｓ２６０）。次に、格納部３１２は、受信された第２画像データを、その第２画像データの受信アドレスに応じた記憶領域１２４に格納する（Ｓ２６２）。格納部３１２は、所定期間が経過した第２画像データを記憶している記憶領域１２４に、受信した第２画像データを上書きで格納してもよい。あるいは、格納部３１２は、削除部２６２によって空き領域が確保された記憶領域１２４に受信した第２画像データを格納してもよい。実施の形態３の他の動作は、実施の形態１，２と同様である。
【００６５】
前述した様に、実施の形態３によれば、撮像装置３００側で日時を判定し、第２画像データを日時に応じたアドレスに送信する場合も、サーバ装置３１０に画像データを送信するための送信時間およびサーバ装置３１０に記憶する画像データのデータ量を低減することができる。
【００６６】
（実施の形態４）
図３５は、本発明の実施の形態４に係る画像データ通信システムの概略構成を示す図である。なお、実施の形態１，２と同じ構成については、図１と同じ符号を付している。実施の形態４の画像データ通信システムは、撮像装置３５０と、サーバ装置３５２と、第１画像データ端末装置３５４と、端末装置１０４と、を備える。撮像装置３５０は、被写体を撮像する。サーバ装置３５２は、撮像装置３５０からの第２画像データを受信して蓄積する。第１画像データ端末装置３５４は、撮像装置３５０が生成した第１画像データを蓄積する。
【００６７】
撮像装置３５０から第１画像データ端末装置３５４への第１画像データの受け渡し方法は、特に限定されず、リムーバブルメモリを用いて行ってもよいし、ＵＳＢケーブルを用いて行ってもよい。端末装置１０４のユーザは、第２画像データを参照したあと、所望の第１画像データを撮像装置３５０または第１画像データ端末装置３５４から取得することができる。端末装置１０４は、例えば、リムーバブルメモリ用のスロットを有する。このスロットに、第１画像データを記憶したリムーバブルメモリが挿入されると、端末装置１０４は、ユーザの操作に応じて所望の第１画像データをリムーバブルメモリから自装置の記憶装置にダウンロードする。
【００６８】
ここで、端末装置１０４は、画像識別子を参照し、自装置の記憶装置に記憶した第２画像データのうち、ダウンロードした第１画像データに対応する第２画像データを削除してもよい。また、第１画像データ端末装置３５４から端末装置１０４に第１画像データを送信してもよい。この送信は、通信ネットワーク１０３を介して行ってもよい。
【００６９】
図３６は、図３５に示した撮像装置３５０の概略構成を示す図である。なお、実施の形態１，２と同じ構成については、図２１と同じ符号を付している。実施の形態４の撮像装置３５０は、撮像部３７２と、記憶部１１２と、第２画像データ生成部１１４と、送信部３７４と、画像識別子生成部３６０と、削除部３６２と、削除命令送信部３６４と、第３画像データ生成部３６６と、第３画像データ送信部３６８と、受信部３７０と、を備える。
【００７０】
画像識別子生成部３６０は、各第１画像データと各第２画像データとの対応を示すための画像識別子を生成する。画像識別子生成部３６０は、例えば、同じ画像に対応する第１画像データおよび第２画像データに同一の画像識別子を付与してもよい。また、画像が撮像された日時を画像識別子として用いてもよい。撮像部３７２は、実施の形態２の撮像部１１０と同様の構成を有し、同様の動作を行う。撮像部３７２は、さらに、第１画像データとともに画像識別子を記憶部１１２に格納する。撮像部３７２は、第１画像データと画像識別子とを対応させて格納する。第１画像データのファイル名として画像識別子を用いてもよい。
【００７１】
送信部３７４は、実施の形態２の送信部１１６と同様の構成を有し、同様の動作を行う。送信部３７４は、第２画像データとともに画像識別子を送信する。送信部３７４は、記憶部１１２からの画像識別子を入力してもよいし、撮像部３７２からの画像識別子を入力してもよい。削除部３６２は、実施の形態２の削除部２５２と同様の構成を有し、同様の動作を行う。削除部３６２は、さらに、撮像装置３５０のユーザからの操作に応じて記憶部１１２に記憶された第１画像データを削除する。
【００７２】
削除命令送信部３６４は、サーバ装置３５２に、削除された第１画像データを示す画像識別子を送信する。削除命令送信部３６４は、第２画像データの削除を命じる削除命令にこの画像識別子を含めて送信する。これにより、撮像装置３５０の第１画像データとサーバ装置３５２の第２画像データとを整合させることができる。受信部３７０は送信要求を受信する。この送信要求は、画像識別子と、第１画像データの所定の部分を特定する部分特定情報と、を含む。例えば、図１０に示したように、画像を複数の部分に分割し、各部分に、１〜６などの部分識別子を付してもよい。この場合、部分特定情報は、何れかの部分識別子を含む。
【００７３】
第３画像データ生成部３６６は、送信要求に含まれる画像識別子および部分特定情報に基づいて、第１画像データの一部を取り出した第３画像データを生成する。第３画像データ生成部３６６は、送信要求に含まれる画像識別子に対応する第１画像データを記憶部１１２から読み出す。そして、第３画像データ生成部３６６は、部分特定情報に基づいて第３画像データを生成する。
【００７４】
第３画像データ送信部３６８は、第３画像データ生成部３６６が生成した第３画像データを送信する。第３画像データ送信部３６８は、実施の形態２の送信部１１６と同様の方法でサーバ装置３５２に第３画像データを送信する。例えば、第２画像データが画像全体を粗くしたデータである場合、第３画像データを送ることによって、画像の一部分についてより詳細なデータが送られることになる。なお、削除部３６２および削除命令送信部３６４を省略してもよいし、第３画像データ生成部３６６，第３画像データ送信部３６８および受信部３７０を省略してもよい。
【００７５】
図３７は、図３５に示したサーバ装置３５２の概略構成を示す図である。なお、実施の形態１，２と同じ構成については、図２２と同じ符号を付している。実施の形態４のサーバ装置３５２は、受信部３８６と、格納部３８８と、記憶部１２２と、ユーザ識別子取得部２６４と、ユーザカウント部２６６と、送信部２６８と、削除部３８０と、要求生成部３８２と、送信要求送信部３８４と、を備える。受信部３８６は、実施の形態２の受信部１２０と同様の構成を有し、同様の動作を行う。受信部３８６は、さらに、第２画像データとともに画像識別子を受信する。
【００７６】
格納部３８８は、実施の形態２の格納部１２１と同様の構成を有し、同様の動作を行う。格納部３８８は、さらに、第２画像データとともに画像識別子を記憶部１２２に格納する。格納部３８８は、第２画像データと画像識別子とを対応させて記憶部１２２に格納する。画像識別子を第２画像データのファイル名として用いてもよい。要求生成部３８２は、端末装置１０４からの要求に基づいて、画像識別子と第１画像データの所定の部分を特定する部分特定情報とを含む送信要求を生成する。送信要求送信部３８４は、要求生成部３８２が生成した送信要求を撮像装置３５０に送信する。
【００７７】
要求生成部３８２は、例えば、ウェブページを介して端末装置１０４のユーザに画像および所望の部分を特定させる。例えば、端末装置１０４のユーザは、マウスなどを用いて、図１０に示したような分割された画像から所望の部分を指定する。サーバ装置３５２から撮像装置３５０への送信要求の送信方法は特に限定されず、例えば、インターネットを介して送信してもよい。削除部３８０は、実施の形態２の削除部２６２と同様の構成を有し、同様の動作を行う。削除部３８０は、さらに、撮像装置３５０から画像識別子を含む削除命令を受信し、画像識別子に対応する第２画像データを記憶部１２２から削除する。なお、削除部３８０を省略してもよいし、要求生成部３８２および送信要求送信部３８４を省略してもよい。
【００７８】
図３８は、図３５に示した撮像装置３５０のハードウェア構成を示す図である。なお、実施の形態１，２と同じ構成については、図２４と同じ符号を付している。撮像装置３５０は、実施の形態２の情報処理装置２７０，１８０に代えて、画像識別情報を生成し送信する情報処理装置３９０，３９２を備える。情報処理装置３９０，３９２は、実施の形態２の情報処理装置２７０，１８０と同様の構成を有し、同様の動作を行う。情報処理装置３９０，３９２は、さらに、画像識別情報を生成してサーバ装置３５２に送信する。また、情報処理装置３９０，３９２は、削除命令をサーバ装置３５２に送信する。また、情報処理装置３９０，３９２は、第３画像データを生成してサーバ装置３５２に送信する。
【００７９】
なお、光学レンズ１４６，受光部１６０および情報処理装置３９０は、  図３６に示した撮像部３７２に対応する。また、情報処理装置３９０は、図３６に示した画像識別子生成部３６０，削除部３６２および第３画像データ生成部３６６を具現化する。また、情報処理装置３９２は、削除命令送信部３６４，送信部３７４，第３画像データ送信部３６８および受信部３７０に対応する。
【００８０】
図３９は、図３５に示したサーバ装置３５２のハードウェア構成を示す図である。なお、実施の形態１，２と同じ構成については図２５と同じ符号を付している。サーバ装置３５２は、ＳＭＴＰサーバ４００と、ＷＷＷサーバ４０２と、記憶装置２０６と、を備える。ＳＭＴＰサーバ４００は、実施の形態２のＳＭＴＰサーバ２７２と同様の構成を有し、同様の動作を行う。ＳＭＴＰサーバ４００は、さらに、画像識別子を受信して記憶部１２２に格納する。また、ＳＭＴＰサーバ４００は、撮像装置３５０からの削除命令を受信し、削除命令が示す第２画像データを記憶部１２２から削除する。
【００８１】
ＷＷＷサーバ４０２は、実施の形態２のＷＷＷサーバ２７４と同様の構成を有し、同様の動作を行う。ＷＷＷサーバ４０２は、さらに、端末装置１０４からのアクセスに応じて送信要求を作成する。ＷＷＷサーバ４０２またはＳＭＴＰサーバ４００は、送信要求を撮像装置３５０に送信する。なお、ＳＭＴＰサーバ４００は、図３７に示した受信部３８６，格納部３８８および削除部３８０に対応する。また、ＷＷＷサーバ４０２は、図３７に示した送信要求生成部３８２を具現化する。また、ＳＭＴＰサーバ４００またはＷＷＷサーバ４０２は、図３７に示した送信要求送信部３８４に対応する。実施の形態４の他の構成は、実施の形態１，２と同様である。
【００８２】
以上の構成において実施の形態４の動作について図４０〜図４７のフローチャートを参照して説明する。図４０は、実施の形態４に係る撮像装置３５０が撮像を行う場合の動作手順を示すフローチャートである。なお、実施の形態１，２と同じ動作については、図１３と同じ符号を付している。この動作では、ステップＳ１００の後、画像識別子生成部３６０が画像識別子を生成する（Ｓ３００）。次に、撮像部３７２は、第１画像データおよび画像識別子を記憶部１１２に格納する（Ｓ３０２）。
【００８３】
図４１は、実施の形態４に係る撮像装置３５０が第２画像データを送信する場合の動作手順を示すフローチャートである。なお、実施の形態１，２と同じ動作については、図１４と同じ符号を付している。この動作では、ステップＳ１０４の後、送信部３７４は、画像識別子および第２画像データをサーバ装置３５２に送信する（Ｓ３１０）。送信部３７４は、第２画像データを圧縮して送信してもよい。送信部３７４は、インターネットの電子メールで画像識別子および第２画像データを送信してもよい。
【００８４】
図４２は、実施の形態４に係る撮像装置３５０が第３画像データを送信する場合の動作手順を示すフローチャートである。この動作では、まず、受信部３７０がサーバ装置３５２からの送信要求を受信する（Ｓ３２０）。次に、第３画像データ生成部３６６は、送信要求に応じた第１画像データを記憶部１１２から読み出し、その第１画像データに基づいて第３画像データを生成する（Ｓ３２２）。次に、第３画像データ送信部３６８は、生成された第３画像データを送信する（Ｓ３２４）。
【００８５】
図４３は、実施の形態４に係る撮像装置３５０が第１画像データを削除する場合の動作手順を示すフローチャートである。この動作では、まず、削除部３６２が記憶部１１２に記憶された第１画像データのうち何れかを削除する（Ｓ３３０）。次に、削除命令送信部３６４が、削除された第１画像データに対応する画像識別子を含む削除命令をサーバ装置３５２に送信する（Ｓ３３２）。なお、ステップＳ３３０をステップＳ３３２の前に行ってもよい。すなわち、削除命令送信部３６４は、第１画像データが削除される前に、削除対象の第１画像データの画像識別子を含む削除命令をサーバ装置３５２に送信してもよい。
【００８６】
図４４は、実施の形態４に係るサーバ装置３５２が第２画像データを受信する場合の動作手順を示すフローチャートである。この動作では、まず、受信部３８６が撮像装置３５０からの第２画像データおよび画像識別子を受信する（Ｓ３４０）。次に、格納部３８８が、受信された第２画像データおよび画像識別子を、撮像時、送信時または受信時に応じた記憶領域１２４に格納する（Ｓ３４２）。格納部３８８は、所定期間が経過した第２画像データおよび画像識別子を記憶している記憶領域１２４に、受信した第２画像データおよび画像識別子を上書きで格納してもよい。あるいは、格納部３８８は、削除部３８０によって空き領域が確保された記憶領域１２４に、受信した第２画像データおよび画像識別子を格納してもよい。
【００８７】
図４５は、実施の形態４に係るサーバ装置３５２が端末装置１０４に第２画像データを送信する場合の動作手順を示すフローチャートである。なお、実施の形態１，２と同じ動作については、図２０と同じ符号を付している。この動作では、まず、送信部２６８が端末装置１０４からのアクセスを受ける（Ｓ１４４）。次に、送信部２６８は、端末装置１０４からのアクセスに応じて、記憶された第２画像データおよび画像識別子を端末装置１０４に送信する（Ｓ３５０）。
【００８８】
図４６は、実施の形態４に係るサーバ装置３５２が送信要求を送信する場合の動作手順を示すフローチャートである。この動作では、まず、要求生成部３８２が、端末装置１０４のユーザに画像を選択させる（Ｓ３６０）。次に、要求生成部３８２は、端末装置１０４のユーザに、選択された画像の一部を特定させる（Ｓ３６２）。この選択，特定の処理は、例えば、ウェブページ上で行われる。これにより、画像識別子と第１画像データの所定の部分を特定する部分特定情報とを含む送信要求が生成される。次に、送信要求送信部３８４が、生成された送信要求を撮像装置３５０に送信する（Ｓ３６４）。
【００８９】
図４７は、実施の形態４に係るサーバ装置３５２が第２画像データを削除する場合の動作手順を示すフローチャートである。この動作では、まず、削除部３８０が、撮像装置３５０からの削除命令を受信する（Ｓ３７０）。次に、削除部３８０は、削除命令に基づいて記憶部１２２から第２画像データを削除する（Ｓ３７２）。すなわち、削除部３８０は、削除命令に含まれる画像識別子に対応する第２画像データを削除する。実施の形態４の他の動作は、実施の形態１，２と同様である。
【００９０】
前述した様に、実施の形態４によれば、第１画像データと第２画像データを関連付ける画像識別子を生成し、第２画像データとともに撮像装置３５０からサーバ装置３５２に送信するので、端末装置１０４のユーザは、サーバ装置３５２の第２画像データを閲覧し、所望の第２画像データを特定することによって、その第２画像データに対応する第１画像データを特定することができる。そして、リムーバブルディスク等を介して第１画像データを端末装置１０４にダウンロードすることができる。
【００９１】
また、実施の形態４によれば、ユーザからの要求に応じて、画像の一部の詳細な情報を含む第３画像データを送信するため、送信時間および記憶容量を低減しつつユーザが必要とする情報を提供することができる。また、実施の形態４によれば、撮像装置３５０で第１画像データの削除を行った場合、撮像装置３５０からサーバ装置３５２に削除命令を送信するため、撮像装置３５０の第１画像データとサーバ装置３５２の第２画像データを整合させることができる。なお、実施の形態４の構成および動作を実施の形態３に適用してもよい。
【００９２】
（実施の形態５）
前述した実施の形態１〜４では撮像装置１００，２５０，３００，３５０、サーバ装置１０２，２６０，３１０，３５２および第１画像データ端末装置３５４をそれぞれ一つ設けた場合を示したが、撮像装置１００，２５０，３００，３５０、サーバ装置１０２，２６０，３１０，３５２および第１画像データ端末装置３５４を複数設けてもよい。撮像装置１００，２５０，３００，３５０が複数の場合は、各撮像装置用または各通信ユニット用の記憶領域１２４を記憶部１２２に設ける。また、撮像装置１００，２５０，３００，３５０は、ディジタルビデオカメラ，カメラ付携帯電話機，カメラ付携帯型パーソナルコンピュータなどの携帯型の装置であってもよい。また、撮像装置１００，２５０，３００，３５０は、据付型または据置型の装置であってもよい。
【００９３】
また、撮像装置１００，２５０，３００，３５０からサーバ装置１０２，２６０，３１０，３５２へのデータ送信方法は特に限定されない。撮像装置１００，２５０，３００，３５０は、例えば、ＬＡＮ（Ｌｏｃａｌ  Ａｒｅａ  Ｎｅｔｗｏｒｋ）を介してサーバ装置１０２，２６０，３１０，３５２にデータを送信してもよいし、携帯電話網の簡易メールを用いてデータを送信してもよい。また、撮像装置１００，２５０，３００，３５０は、無線によってデータを送信してもよいし、有線によってデータを送信してもよい。
【００９４】
撮像装置１００，２５０，３００，３５０は、例えば、携帯電話網に接続してデータを送信してもよいし、有線の電話網に接続してデータを送信してもよい。撮像装置１００，２５０，３００，３５０は、例えば、１２８ｋｂｐｓ以下、６４ｋｂｐｓ以下、５６ｋｂｐｓ以下，１４４００ｂｐｓ以下または９６００ｂｐｓ以下の速度でデータを送信する。また、通信ネットワーク１０３は、ＬＡＮであってもよい。サーバ装置１０２，２６０，３１０，３５２と端末装置１０４との通信方法は特に限定されない。サーバ装置１０２，２６０，３１０，３５２は、ＬＡＮを介して端末装置１０４に第２画像データを送信してもよい。
【００９５】
また、記憶部１１２は、例えば、撮像装置１００，２５０，３００，３５０に固定された半導体メモリであってもよいし、ハードディスク等の磁気ディスクであってもよいし、ＤＶＤ等の光ディスクであってもよいし、ＭＤ等の光磁気ディスクであってもよい。また、第２画像データ生成部１１４は、撮像部１１０からの信号に基づいて第２画像データを生成してもよい。また、第２画像データ生成部１１４は、６４０×４８０画素以下の画像データ、ＱＶＧＡ（Ｑｕａｒｔｅｒ  ＶＧＡ）あるいは３２０×２４０画素の画像データ、１６０×１２０画素の画像データまたはサムネイル画像のデータを生成してもよい。また、第２画像データ生成部１１４は、ユーザからの入力に応じて第２画像データの画素数を選択してもよい。
【００９６】
また、通信ユニット１４８は、本体１５６と一体に設けてもよい。また、ＧＰＳ（Ｇｌｏｂａｌ  Ｐｏｓｉｔｉｏｎｉｎｇ  Ｓｙｓｔｅｍ）電波や標準電波を受信する受信機を撮像装置１００，２５０，３００，３５０に設け、これらの電波に基づいて情報処理装置１６８，２７０，３９０が撮像時および／または送信時を示す情報を生成してもよい。
【００９７】
また、撮像部１１０，３７２、第２画像データ生成部１１４、送信部１１６，１２６，２６８，３０４，３７４、受信部１２０，３７０，３８６、格納部１２１，３１２，３８８、削除部２５２，２６２，３６２，３８０、ユーザ識別子取得部２６４、ユーザカウント部２６６、時取得部３０２、画像識別子生成部３６０、削除命令送信部３６４、第３画像データ生成部３６６、第３画像データ送信部３６８、要求生成部３８２および送信要求送信部３８４は、ＲＯＭやＲＡＭ等のコンピュータ読み取り可能な記録媒体に格納されたプログラムをプロセッサが読み取り、そのプロセッサがプログラムを実行することによって、その機能の少なくとも一部を具現化してもよい。あるいは、上記各構成の一部または全部をハードウェアによって構成してもよい。
【００９８】
【発明の効果】
以上説明したように、本発明によれば、第１画像データを撮像装置に残しつつ、第１画像データよりもデータ量が少ない第２画像データをサーバ装置に送信し、サーバ装置の第２画像データを端末装置に提供することができるため、サーバ装置に画像データを送信するための送信時間およびサーバ装置に記憶する画像データのデータ量を低減することができる。
【図面の簡単な説明】
【図１】本発明の実施の形態１に係る画像データ通信システムの概略構成を示す図
【図２】図１に示した撮像装置の概略構成を示す図
【図３】図１に示したサーバ装置の概略構成を示す図
【図４】図１に示した端末装置の概略構成を示す図
【図５】図１に示した撮像装置の概観を示す図
【図６】図１に示した撮像装置のハードウェア構成を示す図
【図７】実施の形態１に係る第１画像データおよび第２画像データの一例を示す図
【図８】実施の形態１に係る第１画像データおよび第２画像データの他の例を示す図
【図９】実施の形態１に係る第２画像データのさらに他の例を示す図
【図１０】実施の形態１に係る第２画像データのさらに他の例を示す図
【図１１】図１に示したサーバ装置のハードウェア構成を示す図
【図１２】図１に示した端末装置のハードウェア構成を示す図
【図１３】実施の形態１に係る撮像装置が撮像を行う場合の動作手順を示すフローチャート
【図１４】実施の形態１に係る撮像装置が第２画像データを送信する場合の動作手順を示すフローチャート
【図１５】実施の形態１に係る撮像装置が第２画像データを選択して送信する場合の動作手順を示すフローチャート
【図１６】実施の形態１に係る撮像装置が第２画像データを選択して送信する場合の動作を説明する図
【図１７】実施の形態１に係る第２画像データ送信の処理手順を示すフローチャート
【図１８】実施の形態１に係る撮像装置の他の動作手順を示すフローチャート
【図１９】実施の形態１に係るサーバ装置が第２画像データを受信する場合の動作手順を示すフローチャート
【図２０】実施の形態１に係るサーバ装置が端末装置に第２画像データを送信する場合の動作手順を示すフローチャート
【図２１】本発明の実施の形態２に係る撮像装置の概略構成を示す図
【図２２】実施の形態２に係るサーバ装置の概略構成を示す図
【図２３】実施の形態２に係る表示画面の一例を示す図
【図２４】実施の形態２に係る撮像装置のハードウェア構成を示す図
【図２５】実施の形態２に係るサーバ装置のハードウェア構成を示す図
【図２６】実施の形態２に係る撮像装置が第１画像データを削除する場合の動作手順を示すフローチャート
【図２７】実施の形態２に係るサーバ装置が第２画像データを削除する場合の動作手順を示すフローチャート
【図２８】実施の形態２に係るサーバ装置が端末装置からのアクセスを受けた場合の動作手順を示すフローチャート
【図２９】本発明の実施の形態３に係る撮像装置の概略構成を示す図
【図３０】実施の形態３に係るサーバ装置の概略構成を示す図
【図３１】実施の形態３に係る撮像装置のハードウェア構成を示す図
【図３２】実施の形態３に係るサーバ装置のハードウェア構成を示す図
【図３３】実施の形態３に係る撮像装置の動作手順を示すフローチャート
【図３４】実施の形態３に係るサーバ装置の動作手順を示すフローチャート
【図３５】本発明の実施の形態４に係る画像データ通信システムの概略構成を示す図
【図３６】図３５に示した撮像装置の概略構成を示す図
【図３７】図３５に示したサーバ装置の概略構成を示す図
【図３８】図３５に示した撮像装置のハードウェア構成を示す図
【図３９】図３５に示したサーバ装置のハードウェア構成を示す図
【図４０】実施の形態４に係る撮像装置が撮像を行う場合の動作手順を示すフローチャート
【図４１】実施の形態４に係る撮像装置が第２画像データを送信する場合の動作手順を示すフローチャート
【図４２】実施の形態４に係る撮像装置が第３画像データを送信する場合の動作手順を示すフローチャート
【図４３】実施の形態４に係る撮像装置が第１画像データを削除する場合の動作手順を示すフローチャート
【図４４】実施の形態４に係るサーバ装置が第２画像データを受信する場合の動作手順を示すフローチャート
【図４５】実施の形態４に係るサーバ装置が端末装置に第２画像データを送信する場合の動作手順を示すフローチャート
【図４６】実施の形態４に係るサーバ装置が送信要求を送信する場合の動作手順を示すフローチャート
【図４７】実施の形態４に係るサーバ装置が第２画像データを削除する場合の動作手順を示すフローチャート
【符号の説明】
１００，２５０，３００，３５０  撮像装置
１０２，２６０，３１０，３５２  サーバ装置
１０３  通信ネットワーク
１０４  端末装置
１１０，３７２  撮像部
１１２，１２２  記憶部
１１４  第２画像データ生成部
１１６，１２６，２６８，３０４，３７４  送信部
１２０，３７０，３８６  受信部
１２１，３１２，３８８  格納部
１２４  記憶領域
２５２，２６２，３６２，３８０  削除部
２６４  ユーザ識別子取得部
２６６  ユーザカウント部
３０２  時取得部
３６０  画像識別子生成部
３６４  削除命令送信部
３６６  第３画像データ生成部
３６８  第３画像データ送信部
３８２  要求生成部
３８４  送信要求送信部
【図１】
2004341586.tif 000003
【図２】
2004341586.tif 000004
【図３】
2004341586.tif 000005
【図４】
2004341586.tif 000006
【図５】
2004341586.tif 000007
【図６】
2004341586.tif 000008
【図７】
2004341586.tif 000009
【図８】
2004341586.tif 000010
【図９】
2004341586.tif 000011
【図１０】
2004341586.tif 000012
【図１１】
2004341586.tif 000013
【図１２】
2004341586.tif 000014
【図１３】
2004341586.tif 000015
【図１４】
2004341586.tif 000016
【図１５】
2004341586.tif 000017
【図１６】
2004341586.tif 000018
【図１７】
2004341586.tif 000019
【図１８】
2004341586.tif 000020
【図１９】
2004341586.tif 000021
【図２０】
2004341586.tif 000022
【図２１】
2004341586.tif 000023
【図２２】
2004341586.tif 000024
【図２３】
2004341586.tif 000025
【図２４】
2004341586.tif 000026
【図２５】
2004341586.tif 000027
【図２６】
2004341586.tif 000028
【図２７】
2004341586.tif 000029
【図２８】
2004341586.tif 000030
【図２９】
2004341586.tif 000031
【図３０】
2004341586.tif 000032
【図３１】
2004341586.tif 000033
【図３２】
2004341586.tif 000034
【図３３】
2004341586.tif 000035
【図３４】
2004341586.tif 000036
【図３５】
2004341586.tif 000037
【図３６】
2004341586.tif 000038
【図３７】
2004341586.tif 000039
【図３８】
2004341586.tif 000040
【図３９】
2004341586.tif 000041
【図４０】
2004341586.tif 000042
【図４１】
2004341586.tif 000043
【図４２】
2004341586.tif 000044
【図４３】
2004341586.tif 000045
【図４４】
2004341586.tif 000046
【図４５】
2004341586.tif 000047
【図４６】
2004341586.tif 000048
【図４７】
2004341586.tif 000049